(57)【要約】【課題】  薬剤や洗剤を用いずに、衣類等に付着した匂いや汚れを分解して浄化する繊維浄化装置およびそれを用いた浄化方法を提供する。【解決手段】  一対の板状の挟持体１１を備えており、この一対の挟持体１１はその互いに対向する挟持面１２間に繊維製品９１を挟持することが可能である。少なくとも一方の挟持体１１には、繊維製品９１に作用する活性種を生成するプラズマ発生装置７１が設けられている。このプラズマ発生装置７１は、挟持体１１の挟持面１２に取り付けられている。挟持体１１ａと挟持体１１ｂとは、回動自在に連結されている。この活性種を、繊維製品浄化装置１に挟持した繊維製品９１に作用させることで、繊維製品９１に付着した有機物で構成された汚れ９５などを分解することができる。【選択図】        図１
2005087540.tif 000002
【特許請求の範囲】
【請求項１】
一対の挟持体を備え、
前記一対の挟持体は、その互いに対向する挟持面間に繊維製品を挟持することが可能であり、
少なくとも一方の前記挟持体には、前記繊維製品に作用する活性種を生成するプラズマ発生装置が設けられている、繊維製品浄化装置。
【請求項２】
少なくとも一方の前記挟持体には加熱装置が設けられ、前記対向する挟持面により、前記挟持体に挟まれる繊維製品を加熱プレスすることが可能な、請求項１に記載の繊維製品浄化装置。
【請求項３】
前記加熱装置での加熱を停止した状態でプラズマ発生装置のみ作動させることが可能な、請求項２に記載の繊維製品浄化装置。
【請求項４】
前記プラズマ発生装置は、大気圧下において放電を行なうことにより活性種を生成する、請求項１から３のいずれかに記載の繊維製品浄化装置。
【請求項５】
前記挟持面に繊維製品および対向する挟持面のいずれもが存在しないことを検知すると、前記プラズマ発生装置を停止させる停止装置をさらに備えた、請求項１から４のいずれかに記載の繊維製品浄化装置。
【請求項６】
前記プラズマ発生装置の放電電極は、前記挟持面に沿って設けられている、請求項１から５のいずれかに記載の繊維製品浄化装置。
【請求項７】
前記プラズマ発生装置の放電電極は、前記挟持面に形成された凹部内に設けられている、請求項１から５のいずれかに記載の繊維製品浄化装置。
【請求項８】
前記一対の挟持体は少なくとも、前記一対の挟持体の挟持面が互いに対向する状態と、前記一対の挟持体の挟持面が略同一平面を形成する状態と、前記一対の挟持体の挟持面が表裏面となる状態とを構成し得るように、相互に連結されている、請求項１から７のいずれかに記載の繊維製品浄化装置。
【請求項９】
請求項１から８のいずれかに記載の繊維製品浄化装置を用いた浄化方法であって、
繊維製品に付着した汚染物質が、前記繊維製品浄化装置のプラズマ発生装置に対向するように、前記繊維製品を前記挟持面に配置し、
前記プラズマ発生装置を作動させて、前記プラズマ発生装置から活性種を発生させ、前記活性種を汚染物質に接触させることにより繊維製品に付着した汚染物質を減少させる、浄化方法。
【発明の詳細な説明】
【技術分野】
【０００１】
この発明は、衣類、ハンカチなどの繊維製品に用いる浄化装置、および、その繊維製品浄化装置を用いた、繊維製品などの浄化方法に関する。
【背景技術】
【０００２】
特許文献１および特許文献２には、プラズマ生成用ガスを供給するとともに、大気圧近傍の圧力下でプラズマを生成し、その際生成されたガスの活性種により、被洗浄物を洗浄する装置が開示されている。
【特許文献１】特開平８−７８５２９号公報
【特許文献２】特開２００２−１２５３号公報
【発明の開示】
【発明が解決しようとする課題】
【０００３】
上記の特許文献１および２に記載された装置は、いずれも電子部品などの表面の金属酸化物を還元洗浄する装置であり、衣類、布団等の繊維製品の洗浄については何ら開示されていない。
【０００４】
また、近年の生活習慣として、あまり汚れていなくとも洗濯をしたり、柔軟剤を付加したり、消臭剤を付加するなどが行われている。これらの行為は衛生面では貢献があるものの、環境を保全し継続発展が可能な社会の実現を目指す生活志向との均衡が十分ではない。
【０００５】
一方、環境技術や表面処理技術の進歩は目覚しく、とりわけ薬剤を用いず処理が可能なプラズマが注目され始めている。
【０００６】
したがって、この発明は、上記課題を解決するためになされたものであり、薬剤や洗剤を用いずに、衣類等に付着した匂いや汚れを分解して浄化する繊維製品浄化装置およびそれを用いた浄化方法を提供することを目的とする。
【課題を解決するための手段】
【０００７】
この発明に基づいた繊維製品浄化装置に従えば、一対の挟持体を備えている。この一対の挟持体は、その互いに対向する挟持面間に繊維製品を挟持することが可能であり、少なくとも一方の挟持体には、プラズマ発生装置が設けられている。
【０００８】
上記繊維製品浄化装置によれば、プラズマ発生装置を備えているので、プラズマ発生装置により生成した活性種により、衣類などの繊維製品に付着した汚れや害虫などの汚染物質を分解または殺虫することができる。また、一対の挟持体間に繊維製品を挟持するので、プラズマ発生装置で生成した活性種が拡散し難く、繊維製品の汚染物質に有効に作用させることができる。
【０００９】
上記繊維製品浄化装置において好ましくは、少なくとも一方の上記挟持体には加熱装置が設けられ、対向する挟持面により、挟持体に挟まれる繊維製品を加熱プレスすることが可能である。また、この場合には、加熱装置での加熱を停止した状態でプラズマ発生装置のみ作動させることが可能とすることがさらに好ましい。
【００１０】
この構成によると、加熱装置を用いた加熱プレスにより、衣類などに皺をのばしたり、折り目をつけたりすることができる。また、加熱プレスと同時に、繊維製品に付着した汚染物質の浄化を行なうことができ、作業性が向上する。さらに、加熱装置での加熱を停止した状態でプラズマ発生装置のみ作動させるようにすることで、プラズマ発生装置により繊維製品を長時間処理することが可能となり、短時間では分解しにくい汚染物質の処理などに有効である。
【００１１】
上記繊維製品浄化装置においてさらに好ましくは、上記プラズマ発生装置は大気圧下において放電を行なうことにより活性種を生成する。この構成によると、プラズマ発生装置を簡単な構成にすることができる。
【００１２】
上記繊維製品浄化装置においてさらに好ましくは、挟持面に繊維製品および対向する挟持面のいずれもが存在しないことを検知すると、プラズマ発生装置を停止させる停止装置をさらに備えている。この構成によると、挟持面が開放した状態では、プラズマ発生装置が停止するので、プラズマ発生装置の放電中の電極などに、人体が誤って触れることを防止することができる。
【００１３】
上記繊維製品浄化装置においてさらに好ましくは、プラズマ発生装置の放電電極は、挟持面に沿って設けられている。この構成によると、プラズマ発生装置により生成した活性種を、汚染物質に効果的に作用させることができ、浄化性能が向上する。
【００１４】
上記繊維製品浄化装置においてさらに好ましくは、プラズマ発生装置の放電電極は、挟持面に形成された凹部内に設けられている。この構成によると、プラズマ発生装置の放電電極と衣類などの繊維製品とが所定間隔隔てられて配置されるので、衣類などの繊維製品が放電により損傷することを防止することができる。
【００１５】
上記繊維製品浄化装置においてさらに好ましくは、上記一対の挟持体は少なくとも、一対の挟持体の挟持面が互いに対向する状態と、一対の挟持体の挟持面が同一平面を形成する状態と、一対の挟持体の挟持面が表裏面となる状態とを構成し得るように、相互に連結されている。この構成によると、挟持面間に繊維製品を挟んで使用するほか、挟持面が略同一平面を構成する状態で、たとえば布団や毛布などの比較的大型の繊維製品を被せるようにして浄化処理したり、挟持面が表裏面となる状態で、上述のような繊維製品を巻きつけるようにして浄化処理することが可能となる。また、挟持面が表裏面となる状態において、繊維製品浄化装置を筒状の繊維製品の内部に挿入して使用することも可能となる。
【００１６】
上記の繊維製品浄化装置を用いて、次のような工程により汚染物質が付着した衣類などの繊維製品を浄化することができる。まず、付着した汚染物質がプラズマ発生装置に対向するように、繊維製品を配置する。次に、プラズマ発生装置を作動させて、プラズマ発生装置から活性種を発生させ、活性種を汚染物質に接触させる。これにより繊維製品に付着した汚染物質を減少させる。このような工程により、洗剤などを用いることなく、繊維製品を洗浄することができる。
【発明の効果】
【００１７】
本発明に係る繊維製品浄化装置によると、洗剤などを用いることなく、汚染物質が付着した繊維製品を、プラズマ発生装置で生成した活性種により浄化することができる。
【発明を実施するための最良の形態】
【００１８】
本発明の基本的な拠り所は、熱的に非平衡な状態、即ち、気体やイオンの温度に対して電子温度が高い状態のプラズマでは、電子衝突で発生するイオンやラジカルが常温では起こらない化学反応を起こすところにある。下記の実施の形態で用いるプラズマ発生装置においては、放電によりプラズマが生成される。
【００１９】
これについて説明すると、放電によって、空気及び空気中の水分が高速に加速された電子と衝突し、電離、解離、励起などが起こり、ＯＨやＨ、Ｎ、Ｏ、ＨＯ２、オゾンなどのラジカルが生成される。これらのラジカルが、有機物に接触すると、その分子を切断したり分解する。
【００２０】
プラズマにおけるラジカルの生成過程や生じる物質、さらには物質が分解される過程は十分に解明されていない。しかし、効果はいくつかの分野で確認されており、ＬＳＩや液晶技術の分野における表面処理や、環境技術分野におけるダイオキシンの分解などで実用化も進んでいる。
【００２１】
本発明は、上記の産業分野で実用化が進んでいる、物質の分解や改質に関する技術を、日常生活の中に応用しようとするものであり、軽微な汚れや、洗濯による匂い等が付着した衣類、ハンカチ、タオル等を処理の対象とする発明である。衣類などに付着する汚れの多くは有機物でできており、繊維に絡まっているが、プラズマによりその分子が切断されたり、他の気体または液体物質に分解される。このような着眼は従来にはなかったものである。
【００２２】
さらに、放電の電撃パルスはダニや蚤などの表皮を損傷させ、殺すことも可能であるし、ラジカルが侵入してその組織を破壊するという２次的な効果もある。これにより、布団などの繊維製品に巣くう害虫などを効果的に殺すことができる。
【００２３】
（実施の形態１）
以下、実施の形態１における繊維製品浄化装置について、図１から図１２を参照して説明する。なお、図１は、本実施の形態における繊維製品浄化装置の使用状態を示す斜視図である。図２は、本実施の形態で使用したプラズマ発生装置の構造を示す断面図である。図３は、本実施の形態で使用したプラズマ発生装置の構造を示す拡大断面図である。図４は、プラズマ発生装置の構造を示す縦断面図である。図５は、プラズマ発生装置の構造を示す平面図である。図６は、異なるプラズマ発生装置の構造を示す平面図である。図７は、プラズマ発生装置に印加する電圧の波形の一例である。図８は、停止装置を設けた繊維製品浄化装置の構造を示す斜視図である。図９から図１１は、繊維製品浄化装置の使用形態を示す側面図である。図１２は、本実施の形態における繊維製品浄化装置の効果を確認する実験の方法を示す説明図である。
【００２４】
本実施の形態の繊維製品浄化装置１は、図１に示すように、一対の板状の挟持体１１ａ、１１ｂを備えている。この一対の挟持体１１ａ、１１ｂは、その互いに対向する挟持面１２ａ、１２ｂ間に繊維製品９１を挟持することが可能であり、少なくとも一方の挟持体１１には、繊維製品９１に作用する活性種を生成するプラズマ発生装置７１が設けられている。このプラズマ発生装置７１は、挟持体１１の挟持面１２に取り付けられている。挟持体１１ａと挟持体１１ｂとは、回動自在に連結されている。挟持体１１を一対備え、その挟持面間に繊維製品を保持する構造は、いわゆるズボンプレッサーの構造に類似する。
【００２５】
図２に模式的に示すような衣類等の繊維製品９１の繊維に絡んだ汚れ（汚染物質）９５は、有機物の分子と考えることができる。この分子が、プラズマ発生装置７１で生成される活性種９６により切断あるいは分解されると、汚れ９５を繊維から容易に離脱させることができる。
【００２６】
図２に示すように、本実施の形態の繊維製品浄化装置１に設けたプラズマ発生装置７１は、主に、板状電極７３と対極電極７４と誘電体７２とで構成されている。板状電極７３は、挟持体１１の挟持面１２に沿うように、規則的に配列されている。対極電極７４は、誘電体７２の内部に設けられ、一対の板状電極７３に間にそれぞれ一つの対極電極７４が位置するように設けられている。対極電極７４は長尺であり、板状電極７３は単尺である。板状電極７３、対極電極７４および誘電体７２の機能については、詳しくは後述する。
【００２７】
図３に示すように、誘電体７２は、３層で構成されている。挟持面１２側に位置する誘電体７２ｂに板状電極７３が設けられ、中間層を構成する誘電体７２ｃに電熱線からなる加熱装置６６が設けられ、外側に位置する誘電体７２ａに対極電極７４が設けられている。ここでは、加熱装置６６を電熱線で構成しているが、面状の発熱体を用いて構成しても良い。
【００２８】
本実施の形態では、プラズマ発生装置７１として、沿面放電プラズマと呼ばれるプラズマを発生する装置を用いている。プラズマ発生装置７１は、誘電体７２と、その表面に設けられた複数の細い板状電極７３を有している。板状電極７３は、相互に適当な間隔、たとえば０．５ｍｍから２ｍｍの間隔を隔てて取り付ける。誘電体７２としては、たとえばアルミナセラミックスやプラスチックフィルムなどの材料からなるものを用いることができる。
【００２９】
誘電体７２の内部には、放電のための細長い対極電極７４が埋め込まれている。図２および図３に示すプラズマ発生装置７１では、２列の板状電極７３に対して、一つの対極電極７４を設けるようにしていたが、図５に示すプラズマ発生装置７１では、一列の板状電極７３に対して、一つの対極電極７４を設けている。この対極電極７４には、リード線７５が接続され、プラズマ発生装置７１の下面側から外部に導出されている。プラズマ発生装置７１は、この板状電極７３が、繊維製品９１に対向するように配置される。
【００３０】
この板状電極７３と対極電極７４との間には、適当な周波数、たとえば数百Ｈｚから数ｋＨｚの周波数の交流電圧や、繰り返しパルス状の高い電圧が印加される。これにより、誘電体７２の表面に沿って強い電界が誘起され、放電が発生する。放電は、障害物が無い空気中であると放電の経路が集中してしまうが、誘電体７２が設けられていることにより、それが緩和される。これにより、誘電体７２の表面に沿って、放電が広がり、その周辺に高密度のプラズマが生成され、これにより汚れ成分の切断や、分解、ダニや蚤などの殺虫を行うことができる。
【００３１】
プラズマ発生装置７１としては、図４および図５に示した、沿面放電を行なうものの他、たとえば、図６に示したようなものも用いることができる。図６に示すプラズマ発生装置７１は、対向する基板７７と、その内側面にその先端が相互に対向するように配設された、多数の露出した針状の電極７８を有している。この電極７８間には、上記の場合と同様に、交流電圧や繰り返しパルス状の電圧が印加され、電極７８間にプラズマが発生する。このプラズマ発生装置７１を用いる場合には、露出した電極７８が、挟持面１２に沿って配列されるようにプラズマ発生装置７１を、挟持体１１に配列すれば良い。
【００３２】
このように露出した電極７８を用いた場合には、露出した電極７８から発生したプラズマにより、繊維製品などに付着した害虫の表皮に、電撃パルスにより直接打撃を与えることができ、これらの害虫を殺す効果が向上する。なお、ここでは複数の電極７８が対向するプラズマ発生装置７１を用いているが、一対の電極が対向するプラズマ発生装置を用いたり、複数の針状の電極と１枚の平板電極が対向するものや、複数の針状の電極と線状の電極とが対向するものも用いることができる。
【００３３】
さらに、繊維製品浄化装置１に、沿面放電を行なうプラズマ発生装置７１と、図６に示したような、複数の針状の電極７８が露出したプラズマ発生装置７１の両方を設けるようにしても良い。これにより、沿面放電により発生した活性種による汚れを除去する効果と、露出した電極７８からの電撃パルスによる殺虫効果とを両立することができる。
【００３４】
このプラズマ発生装置７１の構造や、印加する電圧や周波数、その波形を変更することにより様々なプラズマ発生装置７１を構成することができる。このプラズマ発生装置７１は、たとえば、ガス点火装置に用いられるいわゆるイグナイターや、空気清浄機等に用いられるイオン発生器、オゾン発生器に類似する。
【００３５】
プラズマ発生装置７１に印加する電圧の波形の一例を、図７に示す。ここで、図７に示した波形は、電源の出力部における波形であり、板状電極７３と対極電極７４との間や、電極７８間に実際に印加される波形とは異なる。これは、電極周囲の電気的な条件により変化するためである。プラズマ発生装置７１の構造に応じて、その性能が最大限に発揮されるように、プラズマ発生装置７１に印加する電圧の波形や、周波数を調節すれば良い。
【００３６】
図８に示すように、本実施の形態の繊維製品浄化装置１には一対の把手２１が設けられており、把手２１の対向面には、一対のセンサ２２が設けられている。このセンサ２２により、繊維製品浄化装置１の挟持体１１が閉じている状態にあるのか、開いている状態にあるのかを検知することができる。これにより得られた信号を用いて、挟持体１１が閉じている状態のときにのみ、プラズマ発生装置７１を作動させるように制御する。これにより、挟持面１２が開放しプラズマ発生装置７１が露出している状態においては、プラズマ発生装置７１を作動させず、放電を行なわないようにする、停止装置を構成している。
【００３７】
このような停止装置を設けたことにより、プラズマ発生装置７１が露出しない状態においては、放電が停止されるので、放電中のプラズマ発生装置７１に、人体が誤って触れることを防止することができる。
【００３８】
次に、このプラズマ発生装置７１を備えた繊維製品浄化装置１の使用方法について説明する。図１に示すように、まず繊維製品浄化装置１の挟持面１２ｂ上に、衣類、ハンカチなどの繊維製品９１を配置する。このとき繊維製品浄化装置１のプラズマ発生装置７１が対象物の汚れ９５などの処理したい箇所に対向させる。次に他方の挟持体１１ａを閉じて、繊維製品９１を挟み込んで、図９に示す状態とする。
【００３９】
このとき、図８に示したセンサ２２により挟持体１１が閉じられたことを検知し、プラズマ発生装置７１が作動可能な状態となる。この状態で、図示しないスイッチを操作し、プラズマ発生装置７１による放電を開始させる。これにより、プラズマ発生装置７１の表面に、高密度のプラズマが発生する。これにともなって、活性種が生成され、この活性種が対象物の汚れ９５に作用することにより汚れ９５の成分を、分解および切断する。このとき同時に、加熱装置６６が作動し、繊維製品９１の浄化と同時に、繊維製品９１に加熱プレスする。これにより、浄化と同時に繊維製品９１の皺のばしや、折り目の形成を行なうことができ、作業性が向上する。
【００４０】
衣類などについた汚れ９５のうち、醤油や油などの染みも、プラズマ発生装置７１で生成されるラジカルの作用により分解され、除去することができる。この染みの除去は、寸時に行なうことはできないので、繊維製品浄化装置１に繊維製品９１を挟持した状態で、加熱装置６６による加熱は行なわずに、プラズマ発生装置７１のみ作動させて長時間処理することが好ましい。このため、繊維製品浄化装置１の把手２１に設けた図示しない温度調節スイッチなどにより、加熱装置６６による加熱を行なわないことを選択できるようにしておく。また、専用の「汚れ分解スイッチ」を設けるようにしてもよい。
【００４１】
汚れや染みを除去する、処理時間は、その汚れの程度や、プラズマの強さなどによって変化する。この汚れや染みは、一時に除去しなくても、日常の加熱プレスのときに、プラズマ発生装置７１を作動させておけば、徐々に分解されて除去される。
【００４２】
このプラズマ発生装置７１を備えた繊維製品浄化装置１の汚れを除去する効果を、次のような実験により確認した。醤油などで全面を汚した衣類などの繊維製品９１を繊維製品浄化装置１にセットし、プラズマ発生装置７１を約１０分間作動させ、その効果を目視で確認した。加熱装置６６による加熱は行なわなかった。その結果、図１２に示すように、プラズマ発生装置７１を設けた領域９１ａのみ、色調に変化が現れ、その効果が確認できた。
【００４３】
さらに、殺虫効果についても、次の実験により確認した。ダニが繁殖した繊維製品９１に、本実施の形態のプラズマ発生装置７１を備えた繊維製品浄化装置１にセットした。プラズマ発生装置７１に通電し、プラズマを発生させ、約１０分間放置した。加熱装置６６による加熱は行なわなかった。ルーペにて観察したところ、ダニの屍骸が確認された。この実験においては、同様の装置を２組製作し、一方にはプラズマ発生装置７１に通電し、他方にはプラズマ発生装置７１に通電せず、その比較における有意差で効果を確認した。その結果明らかに、プラズマ発生装置７１に通電した場合の方が、殺虫効果が高いことが確認できた。
【００４４】
この繊維製品浄化装置１は、図９に示すように、一対の挟持体１１の間に繊維製品９１を挟み込むように使用するほか、次のような使用方法も可能である。図１０に示すように、一方の挟持体１１を、挟持体１１が閉じた状態から、３６０°回転させて、そのプラズマ発生装置７１が外面に位置するようにする。言い換えると、繊維製品浄化装置１の表裏面にプラズマ発生装置７１が位置するようにする。この状態で、繊維製品浄化装置１の外側に毛布や布団などの比較的大型の繊維製品９１などを巻きつけ、プラズマ発生装置７１に通電し、プラズマを発生させる。このようにすることで、繊維製品浄化装置１の挟持体１１の間に挟み込めないような繊維製品９１であっても、プラズマ発生装置７１による浄化が可能である。また、筒状の繊維製品９１の内部にこのプラズマ発生装置７１を挿入し、その繊維製品９１を、その内周面から浄化することも可能である。
【００４５】
このような、一方の挟持体１１が３６０°回転可能な連結構造は、たとえば、挟持体１１を、一対の回転軸３１ａ、３１ｂとそれを連結する連結体３２とで構成された連結具により、一対の挟持体１１を連結することで構成することができる。
【００４６】
また、図１１に示すように、一方の挟持体１１を、挟持体１１が閉じた状態から、１８０°回転させて、それぞれの挟持体１１のプラズマ発生装置７１が、同一平面を形成するようにする。この状態で、その上に布団などの繊維製品９１を被せることで、その繊維製品９１を、その下面から浄化することができる。この場合には、一対の挟持体１１を連結する回転軸は一つであってもよい。
【００４７】
図１０および図１１のような状態で使用できる構造を採用した場合には、繊維製品９１がプラズマ発生装置７１の表面から離れると、プラズマ発生装置７１が停止するようにする必要がある。これは、たとえばプラズマ発生装置７１を設けた挟持面１２の四隅にセンサを設け、このセンサの全てが繊維製品９１を検知している状態でのみプラズマ発生装置７１を作動させるようにすることで達成できる。これにより、プラズマ発生装置７１が露出した状態ではプラズマ発生装置７１の作動が停止するので、放電中の電極などに人体が誤って接触することを防止することできる。
【００４８】
（実施の形態２）
実施の形態２について、図１３に基づき説明する。図１３は、実施の形態２のプラズマ発生装置の構造を示す断面図である。なお、実施の形態１と同様の機能を持つ構成には、同一の参照番号を付し、その説明は繰り返さない。
【００４９】
本実施の形態においては、誘電体７２の挟持面１２側の面に、複数の凹部８６を形成し、凹部８６の天井面または底面に板状電極７３を配設している。図１３では、一例として各凹部に２列に板状電極７３を並べた状態を示しているが、板状電極７３を配設する方向や数は、必要に応じて種々変更することができる。
【００５０】
実施の形態１では、挟持面１２に沿ってプラズマ発生装置７１の板状電極７３を設けたが、この実施の形態では、板状電極７３を凹部８６に設けている。これにより、挟持面１２と、板状電極７３の表面とが、所定間隔隔てられる。プラズマ発生装置７１で放電が開始されると、対象の布や繊維の種類によっては、これらが放電に接触すると損傷するものがある。このように挟持面１２から板状電極７３を所定間隔離すことにより、繊維製品９１が放電に接することを防止することができる。
【００５１】
また、この実施の形態の繊維製品浄化装置１は、次のような使用状況にも適している。蒸気が、プラズマ発生装置７１の周囲に充満している場合には、プラズマ発生装置７１の周囲に空気のみが存在する場合に比べてプラズマが拡散し、広い範囲でプラズマが発生する。電極間に誘電体が存在すると、誘電体の散在範囲に放電が拡散することが知られている。そこで、繊維製品９１を予め霧吹きなどで湿らせておき、湿らせた繊維製品９１をこの繊維製品浄化装置１にセットすることで、図示しない加熱装置の作用により、水蒸気が発生する。このように誘電体の凹部８６の内部が蒸気で満たされた場合には、水蒸気が誘電体として機能し、プラズマが発生する領域を拡大させることができる。
【００５２】
さらに、繊維製品９１に付着した汚れ９５の浄化に寄与する活性種の多くは、水（Ｈ2Ｏ）が電離、解離、分離してできると考えられる。そのため、水蒸気（Ｈ2Ｏ）を豊富に含む雰囲気を形成することにより、プラズマ発生装置７１によりこれらの浄化に寄与する活性種が多く生成され、浄化性能を向上させることができる。
【００５３】
このように、水蒸気の作用により、プラズマの発生する領域を拡大することができる。これにより、プラズマの生成に伴なって生成された活性種が、広い範囲で生成され、この活性種が衣類やハンカチなどの繊維製品に付着した有機物からなる汚れの成分を効果的に切断および分解することができる。
【００５４】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００５５】
【図１】この発明に基づいた実施の形態１における繊維製品浄化装置の使用状態を示す斜視図である。
【図２】この発明に基づいた実施の形態１における繊維製品浄化装置で使用したプラズマ発生装置の構造を示す断面図である。
【図３】この発明に基づいた実施の形態１における繊維製品浄化装置で使用したプラズマ発生装置の構造を示す拡大断面図である。
【図４】プラズマ発生装置の構造を示す縦断面図である。
【図５】プラズマ発生装置の構造を示す平面図である。
【図６】異なるプラズマ発生装置の構造を示す平面図である。
【図７】プラズマ発生装置に印加する電圧の波形の一例を示す図である。
【図８】停止装置を設けた繊維製品浄化装置の構造を示す斜視図である。
【図９】繊維製品浄化装置の使用形態を示す側面図である。
【図１０】繊維製品浄化装置の使用形態を示す側面図である。
【図１１】繊維製品浄化装置の使用形態を示す側面図である。
【図１２】この発明に基づいた実施の形態１における繊維製品浄化装置の効果を確認する実験の方法を示す説明図である。
【図１３】この発明に基づいた実施の形態２におけるプラズマ発生装置の構造を示す縦断面図である。
【符号の説明】
【００５６】
１  繊維製品浄化装置、１１  挟持体、１２  挟持面、２１  把手、２２  センサ、７１  プラズマ発生装置、７３  板状電極（放電電極）、８６  凹部、９１  繊維製品、９６  活性種。
【図１】
2005087540.tif 000003
【図２】
2005087540.tif 000004
【図３】
2005087540.tif 000005
【図４】
2005087540.tif 000006
【図５】
2005087540.tif 000007
【図６】
2005087540.tif 000008
【図７】
2005087540.tif 000009
【図８】
2005087540.tif 000010
【図９】
2005087540.tif 000011
【図１０】
2005087540.tif 000012
【図１１】
2005087540.tif 000013
【図１２】
2005087540.tif 000014
【図１３】
2005087540.tif 000015